(57)【要約】【課題】  履く易く、脱げ難いスリッパ状の履物を提供する。【解決手段】  アウトソール１のほぼ中間部に屈曲可能部を設け、トップ・ライン２に伸縮可能な紐状弾性部材を取り付けて、スリッパを構成し、紐状弾性部材の収縮力より、アウトソール１の前端及び後端がトップ・ライン２に付勢された状態で屈曲させる。これによって、足裏にアウトソール１が密着し、脱げにくくなる。また、トップ・ライン２の前端と後端に第一のフック４ａと第二のフック４ｂを取り付け、スリッパを履く際に、フックを外側に引張り、履く易くするとともに、爪先部の先端と踵部の後端に、互いに係合可能なホックボタン５ａ、５ｂを取り付けることで、収納の際に、アウトソールを折り曲げて固定することを可能とする。【選択図】図１
2015020053.tif 000002
【特許請求の範囲】
【請求項１】
ほぼ中間部に屈曲可能部を有するアウトソールと、伸縮可能な紐状弾性部材が取り付けられてなるトップ・ラインを有し、前記紐状部材の収縮力より、アウトソールの前端及び後端がトップ・ライン側に付勢された状態で屈曲していることを特徴とするスリッパまたは靴カバー。
【請求項２】
前記トップ・ラインの前端と後端に取り付けられてなるフックと、爪先部の先端と踵部の後端に取り付けられてなり、互いに係合可能なホックボタンを有することを特徴とする、請求項１に記載のスリッパまたは靴カバー。
【発明の詳細な説明】
【技術分野】
【０００１】  本発明は、スリッパや、靴を履いたままの状態で、通常は土足で歩行することがない床面などを歩く際に、一時的に用いる靴カバーに関するものである。
【背景技術】
【０００２】  スリッパは、一般的には室内履きとして利用され、着脱が簡単にできるように、アウトソールに、足の甲を覆うための甲被を取り付けただけの、簡易な構造である。このために、靴を履く際のように、手や靴ベラを用いる必要もないが、反面、偶発的に脱げることがある。【０００３】  スリッパの脱げ易さへの対処方法として、特許文献１には、アウトソールの土踏まずの近傍に、両端が足裏側に付勢された状態で屈曲した弾性材料を埋め込んで、足裏にアウトソールが密着するように構成した、スリッパ状の履物が開示されている。しかし、この履物は脱げ難い反面、アウトソールが屈曲した状態なので、履き難いという面で改善の余地がある。
【先行技術文献】
【特許文献】
【０００４】
【特許文献１】  特開平０９−１７３１０３号公報
【発明の概要】
【発明が解決しようとする課題】
【０００５】  従って、本発明の課題は、履く易く、脱げ難いスリッパ状の履物を提供することである。
【課題を解決するための手段】
【０００６】  本発明は、前記の課題に鑑み、アウトソールを足裏側に付勢する構造を再検討した結果なされたものである。【０００７】  即ち、本発明は、ほぼ中間部に屈曲可能部を有するアウトソールと、伸縮可能な紐状弾性部材が取り付けられてなるトップ・ラインを有し、前記紐状弾性部材の収縮力より、アウトソールの前端及び後端がトップ・ライン側に付勢された状態で屈曲していることを特徴とするスリッパまたは靴カバーである。【０００８】  また、本発明は、前記トップ・ラインの前端と後端に取り付けられてなるフックと、爪先部の先端と踵部の後端に取り付けられてなり、互いに係合可能なホックボタンを有することを特徴とする、前記のスリッパまたは靴カバーである。
【発明の効果】
【０００９】  本発明に係るスリッパは、アウトソールが足裏に密着するように、屈曲して付勢されているので、通常の歩行では、極めて脱げ難く、アウトソールの踵部分が、歩行に際して上下動することがないので、使用感が向上する。しかも、履く際には、トップ・ラインに取り付けられたフックを引っ張ることにより、アウトソールを前後に延ばせるので、履き易さも向上する。また、アウトソールに屈曲部を有するので、スリッパ全体を折り曲げ、その状態を、爪先部の先端と踵部の後端に取り付けられたホックボタン用いて保持することができるので、収納性も向上する。【００１０】  一方で本発明に係るスリッパは、脱げ難いことから、サイズを大きめにすることが可能であるため、単なるスリッパ以外の機能を発現することができる。つまり、外出などに際して靴を履いた直後に、忘れ物を取るために室内に戻る必要が生じた場合に、靴を脱ぐのが面倒なことがあるが、本発明に係るスリッパは、サイズを大きめに設定できることを利用して、一時的な靴カバーとして用い、靴を履いたままで、室内に入ることを可能とすることもできる。
【図面の簡単な説明】
【００１１】
【図１】  本発明に係るスリッパの一例を示す斜視図。
【図２】  本発明に係るスリッパの一例の正面図。
【図３】  本発明に係るスリッパを靴カバーとして用いた例を示す図。
【図４】  本発明に係るスリッパを屈曲部で折り曲げた状態を示す図。
【発明を実施するための形態】
【００１２】  次に本発明の実施の形態について、具体的な図に基づいて説明する。
【００１３】  図１は、本発明に係るスリッパの一例を示す斜視図である。図１において、１はアウターソール、２はトップ・ライン、３は甲被、４ａは第一のフック、４ｂは第二のフック、５ａは第一のホックボタン、５ｂは第二のホックボタンである。
【００１４】  アウターソール１は、紙などの材料からなる芯材を皮革、布、プラスチックシートなどで被覆した構造である。トップ・ライン２は袋状に縫合し、内部にゴム紐や引張バネなどの伸縮可能な紐状弾性部材が内蔵されている。
【００１５】  図２は、本発明に係るスリッパの一例の正面図である。図２において、６はアウターソールの屈曲部である。図２に示したように、本発明に係るスリッパは、トップ・ライン２に取り付けられている紐状弾性部材による力で、アウターソール１が、図における左右端が上方に付勢された状態で、屈曲部６で折り曲げられている。
【００１６】  また、履く際には、図２に示した矢印の方向に、第一のフック４ａと第二のフック４ｂを引くことにより、アウターソール１を延ばすことができる。
【００１７】  図３は、本発明に係るスリッパを靴カバーとして用いた例を示す図である。図３において、７は靴である。本発明の係るスリッパは、前記のように、サイズを実際の足よりも大きくできるので、図３に示したように、靴カバーとして用いることが可能である。
【００１８】  図４は、本発明に係るスリッパを、収納のために屈曲部で折り曲げた状態を示す図である。本発明に係るスリッパは、図４示したように屈曲部６で折り曲げ、第一のホッックボタン５ａと第二のホックボタン５ｂを互いに係合させ、折り曲げた状態を保持し、コンパクトにした状態で収納可能であることは、前述の通りである。
【００１９】  以上に説明したように、本発明によれば、履く易く脱げ難く、しかも靴カバーとして用いることができるスリッパを提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２０】１…アウターソール    ２…トップ・ライン    ３…甲被
４ａ…第一のフック    ４ｂ…第二のフック    ５ａ…第一のホックボタン
５ｂ…第二のホックボタン    ６…屈曲部    ７…靴
【図１】
2015020053.tif 000003
【図２】
2015020053.tif 000004
【図３】
2015020053.tif 000005
【図４】
2015020053.tif 000006